(57)【要約】  コンパクトな構成を有しながらも、適切な位置に可動レンズを駆動できる撮像装置を提供するために、撮像レンズ１０を保持した移動筒２２は、その可動ストロークの一端である第１の位置でレンズ台２４によって係止されるので、イメージセンサ５１との光軸上の距離を適切な値に設定でき、それによりピントのあった適切な撮影を行うことができる。一方、アクチュエータ３０は、ＥＥＰＲＯＭ３２に記憶された情報に基づいて、アクチュエータドライバ３１により駆動され、撮像レンズ１０を、その可動ストロークの他端である第２の位置との間の第３の位置で停止させるので、組み付け時において第３の位置の機構調整は不要であり、撮像装置５０の組立性が向上する。
2008053676.tif 000002
【特許請求の範囲】
【請求項１】
筐体と、
前記筐体に対して光軸方向に移動可能な可動レンズを少なくとも１つ含む撮像レンズと、
前記撮像レンズを介して結像された光学像を電気信号に変換する撮像素子と、
前記可動レンズを、光軸方向における第１の位置と第２の位置との間を移動させるためのアクチュエータと、
前記可動レンズを第１の位置で係止する第１の係止部材と、
前記可動レンズを第２の位置で係止する第２の係止部材と、
前記アクチュエータの駆動に関する情報を記憶したメモリとを有し、
前記アクチュエータは、前記メモリに記憶された情報に基づいて、前記可動レンズを、前記第１の位置と前記第２の位置との間にある第３の位置で停止させることを特徴とする撮像装置。
【請求項２】
前記メモリに記憶された情報とは、前記可動レンズを前記第３の位置に移動させる前記アクチュエータの駆動量の制御値であることを特徴とする請求の範囲第１項に記載の撮像装置。
【請求項３】
前記係止部材の一部は、前記撮像素子の表面に当接していることを特徴とする請求の範囲第１項又は第２項に記載の撮像装置。
【請求項４】
前記可動レンズを、前記第３の位置に設定するモードを有することを特徴とする請求の範囲第１項〜第３項のいずれかに記載の撮像装置。
【請求項５】
前記第１の位置は、無限遠に合焦する位置もしくは過焦点距離に合焦する位置であることを特徴とする請求の範囲第１項〜第４項のいずれかに記載の撮像装置。
【請求項６】
前記第３の位置は、所定の至近距離に合焦する位置であることを特徴とする請求の範囲第１項〜第５項のいずれかに記載の撮像装置。
【請求項７】
前記可動レンズを前記第１の位置に向かって付勢する付勢手段を有することを特徴とする請求の範囲第１項〜第６項のいずれかに記載の撮像装置。
【発明の詳細な説明】
【技術分野】
【０００１】
本発明は、撮像装置に関し、例えばＣＣＤ型イメージセンサあるいはＣＭＯＳ型イメージセンサ等の固体撮像素子を用いた撮像装置などに用いられると好適な撮像装置に関する。
【背景技術】
【０００２】
近年、ＣＣＤ（Ｃｈａｒｇｅ  Ｃｏｕｐｌｅｄ  Ｄｅｖｉｃｅ）型あるいはＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）型の固体撮像素子を用いた撮像装置の高性能化に伴い、フォーカシング機構を備えた撮像装置が搭載された携帯電話が普及しつつある。【０００３】
特許文献１には、アクチュエータを用いて撮像レンズを駆動することによりフォーカシングを実現する撮像装置が開示されている。
【特許文献１】特開２００４−３４７８９０号公報
【発明の開示】
【発明が解決しようとする課題】
【０００４】
ところで、従来技術の撮像装置は、フォーカシングのためにレンズを可動とする場合において、どのように可動ストロークを決定するかという問題がある。携帯電話等に撮像装置を搭載することを考えた場合、レンズを駆動するアクチュエータは、より小型で省エネタイプを用いることが望まれるため、可動ストロークの範囲は制限される傾向がある。一方、適切な撮影を確保するためには、レンズの合焦位置を広範囲に調整したいという要求もある。さらには、組み付け時の調整を簡便に行いたいという要求もある。【０００５】
本発明は、かかる従来技術の問題点に鑑みてなされたものであり、コンパクトな構成を有しながらも、適切な位置に可動レンズを駆動できる撮像装置を提供することを目的とする。
【課題を解決するための手段】
【０００６】
請求の範囲第１項に記載の撮像装置は、筐体と、前記筐体に対して光軸方向に移動可能な可動レンズを少なくとも１つ含む撮像レンズと、前記撮像レンズを介して結像された光学像を電気信号に変換する撮像素子と、前記可動レンズを、光軸方向における第１の位置と第２の位置との間を移動させるためのアクチュエータと、前記可動レンズを第１の位置で係止する第１の係止部材と、前記可動レンズを第２の位置で係止する第２の係止部材と、  前記アクチュエータの駆動に関する情報を記憶したメモリとを有し、前記アクチュエータは、前記メモリに記憶された情報に基づいて、前記可動レンズを、前記第１の位置と前記第２の位置との間にある第３の位置で停止させることを特徴とする。【０００７】
本発明によれば、前記可動レンズは、その可動ストロークの一端である前記第１の位置で前記係止部材によって係止されるので、前記撮像素子との光軸上の距離を適切な値に設定でき、それによりピントのあった適切な撮影を行うことができる。一方、前記アクチュエータは、前記メモリに記憶された情報に基づいて、前記可動レンズを、その可動ストロークの他端である前記第３の位置で停止させるので、組み付け時において前記第３の位置の機構調整は不要であり、撮像装置の組立性が向上する。ここで、「アクチュエータの駆動に関する情報」とは、アクチュエータを制御するためにドライバから印加される電圧や電流の値又はその制御値をいうが、それに限られず、例えば別個に可動レンズの位置を検出するエンコーダを設けているようなときは、そのエンコーダの読み取り値でもよい。【０００８】
前記メモリに記憶された情報とは、前記可動レンズを前記第３の位置に移動させる前記アクチュエータの駆動量の制御値であると好ましい。例えば、組み立て時に可動レンズを第３の位置に駆動できる電圧や電流の値又はその制御値を測定し、アクチュエータの駆動量の制御値としてメモリに記憶しておき、実際の撮影時には、記憶された駆動量の制御値をメモリから読み出して、これに基づき直接アクチュエータを駆動することが考えられる。【０００９】
前記係止部材の一部が、前記撮像素子の表面に当接していることが好ましい。このように構成することで、前記可動レンズが前記第１の位置で前記係止部材によって係止されたとき、前記撮像素子と前記可動レンズとの光軸上の距離を適切な値に設定でき、それによりピントのあった撮影を行える。【００１０】
前記可動レンズを、前記第３の位置に設定するモードを有することが好ましい。一般的に通常の撮影距離の撮影頻度に比べると、極めて至近距離での撮影を行う頻度が少ないことから、原則的に前記第１の位置で通常撮影を行うようにすることでユーザーの利便性を図ることができる。前記第３の位置に設定するモードとは、被写体距離が極めて近距離である、例えばマクロ撮影モードや２次元バーコード読み取りモードなどがある。【００１１】
前記第１の位置は、無限遠に合焦する位置もしくは過焦点距離に合焦する位置であることが好ましい。過焦点距離Ｕは、Ｕ＝ｆ２／（Ｆ×δ）（ただし、ｆ：レンズの焦点距離、Ｆ：レンズのＦナンバー、δ：許容錯乱円の径）で表すことができる。この過焦点距離に合焦するように可動レンズの位置を設定すると、無限遠からＵ／２の間の距離に位置する物体にピントが合っているとみなせる状態となる。本例の場合、許容錯乱円の径δは画素ピッチＰの２倍であり、例えば、ｆ＝３．８ｍｍ、Ｆ＝２．８、Ｐ＝０．００３２ｍｍの場合、過焦点距離Ｕは、ｆ２／（Ｆ×２Ｐ）≒０．８ｍとなる。即ち、被写体距離０．８ｍに合焦する位置に可動レンズを設定すると、無限遠から約０．４ｍの距離の間にある被写体に対して、ピントが合っているとみなせる鮮明な画像を得ることができる。【００１２】
前記第３の位置は、所定の至近距離に合焦する位置であると、マクロ撮影を行うことができるので好ましい。【００１３】
前記可動レンズを前記第１の位置に向かって付勢する付勢手段を有していることが好ましく、例えば電源をオンした後に、可動レンズを駆動することなく直ちに通常の撮影を行うことができる。
【発明の効果】
【００１４】
本発明によれば、コンパクトな構成を有しながらも、適切な位置に可動レンズを駆動できる撮像装置を提供することができる。
【図面の簡単な説明】
【００１５】
【図１】本実施の形態にかかる撮像装置５０の斜視図である。
【図２】図１の撮像装置５０をＩＩ−ＩＩ線を含む面で切断して矢印方向に見た図である。
【図３】撮像装置５０を携帯端末としての携帯電話機１００に装備した状態を示す図である。
【図４】携帯電話機１００の制御ブロック図である。
【符号の説明】
【００１６】
１０  撮像レンズ
２０  カバー
２１  筐体
２２  移動筒
２５  バネ部材
２６  コイル
２７  磁石
２８  ヨーク
３０  アクチュエータ
３１  アクチュエータドライバ
３２  ＥＥＰＲＯＭ
３３  信号処理回路
５０  撮像装置
５１  イメージセンサ
５１ａ  光電変換部
５２  基板
５２ａ  平板部
５２ｂ  フレキシブル基板部
５４  外部接続用端子
６０  入力部
７０  表示部
８０  無線通信部
９１  記憶部
９２  一時記憶部
１００  携帯電話機
１０１  制御部
Ｂ  接着剤
ＢＴ  ボタン
Ｆ  ＩＲカットフィルタ
Ｓ  開口絞り
【発明を実施するための最良の形態】
【００１７】
以下、本発明の実施の形態を図面に基づいて説明する。図１は、本実施の形態にかかる撮像装置を含む撮像装置５０の斜視図であり、図２は、図１の撮像装置５０をＩＩ−ＩＩ線を含む面で切断して矢印方向に見た図であり、（ａ）は撮像レンズが無限遠或いは過焦点距離に合焦する位置にある状態を示し、（ｂ）は至近距離に合焦する位置にある状態を示す。【００１８】
上記撮像装置５０は、光電変換部５１ａを有する固体撮像素子としてのＣＭＯＳ型イメージセンサ５１と、このイメージセンサ５１の光電変換部５１ａに被写体像を撮像させる撮像レンズ１０と、撮像レンズ１０を支持する筐体２１と、イメージセンサ５１と撮像レンズ１０との間に配置されたＩＲカットフィルタＦと、撮像レンズ１０を光軸方向に移動させるためのアクチュエータ３０等が組み付けられた基板５２を有しており、外部回路と電気信号の送受を行う外部接続用端子５４が、フレキシブル基板部５２ｂで基板５２と接続されている。基板５２は、フレキシブル基板部５２ｂとフレキシブル基板部５２ｂを挟んで導電パターン層と絶縁層が積層された硬質の平板部５２ａとで構成されている。【００１９】
上記イメージセンサ５１は、その受光側の平面の中央部に、画素（光電変換素子）が２次元的に配置された、受光部としての光電変換部５１ａと、各画素を順次駆動し信号電荷を得る駆動回路部と、各信号電荷をデジタル信号に変換するＡ／Ｄ変換部とから構成されている。信号処理回路３３（ＤＳＰ）は、デジタル信号を用いて画像信号出力を形成する信号処理部や、画像の鮮鋭度に基づいてＡＦ制御を行う演算部等から構成されている。又、イメージセンサ５１の受光側の平面の外縁近傍には、多数のパッド（不図示）が配置されており、ワイヤ（不図示）を介して基板５２に接続されている。信号処理回路３３は、イメージセンサ５１の光電変換部５１ａからの信号電荷を、デジタルＹＵＶ信号等の画像信号等に変換し、基板５２上の所定の回路に出力する。ここで、Ｙは輝度信号、Ｕ（＝Ｒ−Ｙ）は赤と輝度信号との色差信号、Ｖ（＝Ｂ−Ｙ）は青と輝度信号との色差信号である。なお、撮像素子は上記ＣＭＯＳ型のイメージセンサに限定されるものではなく、ＣＣＤ型等の他のものを使用しても良い。【００２０】
基板５２は、その一平面上で上記イメージセンサ５１及び筐体２１を支持する平板部５２ａと、平板部５２ａから露出し、平板部５２ａ内の回路と接続されたパターンを有するフレキシブル基板５２ｂとを備えている。【００２１】
平板部５２ａには、表面に設けられた多数の信号伝達用パッドが形成されており、これが前述したイメージセンサ５１からのワイヤと接続されている。【００２２】
フレキシブル基板５２ｂは、図示の如くその一端部が平板部５２ａと接続され、その他端部に設けられた外部接続用端子５４を介して平板部５２ａと外部回路（例えば、撮像装置を実装した上位装置が有する制御回路）とを接続し、外部回路からイメージセンサ５１や信号処理回路３３を駆動するための電圧やクロック信号の供給を受けたり、また、デジタルＹＵＶ信号を外部回路へ出力したりすることを可能とする。さらに、フレキシブル基板部５２ｂは可撓性又は変形容易性を備えているため、その変形により、平板部５２ａに対して外部出力端子の向きや配置に自由度を与えている。【００２３】
遮光性部材からなるカバー２０は筐体２１に接着され、筐体２１は、イメージセンサ５１を囲うようにして配置され基板５２に対して接着剤Ｂを用いて下端が接着されてなる。【００２４】
図２において、筐体２１の内周から光軸直交方向に延在するフランジ部２１ａには、ＩＲカットフィルタＦを接着保持するレンズ台２４が、接着剤Ｂを用いて接着されている。レンズ台２４は、光軸方向に突出した４本の脚部２４ａを有する。脚部２４ａは、固体撮像素子であるイメージセンサ５１の表面の光電変換部５１ａを避けた位置に当接しており、これによりレンズ台２４のイメージセンサ５１に対する光軸方向位置が決まる。【００２５】
筐体２１に対して移動可能に配置された移動筒２２は、大円筒部２２ａと、その上端（被写体側端）に形成された小フランジ部２２ｂとを有しており、物体側から第１レンズＬ１，第２レンズＬ２，第３レンズＬ３の順序で、これらを固定的に内包保持している。第１レンズＬ１の被写体側に、ドーナツ板状の開口絞りＳが設けられている。【００２６】
第１レンズＬ１のフランジ部Ｌ１ｆと、第２レンズＬ２のフランジ部Ｌ２ｆとは、中央に開口を有するドーナツ板状の遮光部材ＳＭを介して突き当てられている。又、第３レンズＬ３のフランジ部Ｌ３ｆの上端は、第２レンズＬ２のフランジ部Ｌ２ｆに突き当て嵌合している。これによりレンズＬ１〜Ｌ３の光軸間距離が精度良く決まる。第２レンズＬ２と第３レンズＬ３との間にも、遮光部材ＳＭが配置されている。また、移動筒２２の小フランジ部２２ｂには、付勢部材であるバネ部材２５が当接し、移動筒２２をレンズ台２４方向に付勢している。この付勢力により、アクチュエータ３０に通電がなされないとき、図２（ａ）に示すように、第３レンズＬ３のフランジ部Ｌ３ｆの下端（撮像素子側端）は、レンズ台２４の上面に当接する。なお、本実施の形態では、撮像レンズ１０を構成するレンズＬ１〜Ｌ３が全て可動レンズになるが、例えばＩＲカットフィルタＦを、ＩＲカットコーティングが施された固定レンズに置き換え、撮像レンズの一部が可動レンズとなるような構成でも良い。【００２７】
移動筒２２の小円筒部２２ｂの光軸直交方向外方には、円筒状のアクチュエータ３０が配置されている。
以下、本例においてはアクチュエータ３０にボイスコイルモータを用いた例を説明する。アクチュエータ３０は、移動筒２２に固定されたコイル２６と、カバー２０に取り付けられた磁石２７と外ヨークと内ヨークが一体に形成されたヨーク２８とを含み、アクチュエータドライバ３１から所定の電圧又は電流が供給されることで、移動筒２２をレンズＬ１〜Ｌ３ごと所定の光軸方向位置に移動させることができる。本例の他、適用できるアクチュエータとしては、圧電素子、形状記憶合金、静電アクチュエータなどが考えられるが、印加する電圧又は電流により、駆動位置が一義的に定まるタイプが好ましい。【００２８】
付勢手段であるバネ部材２５は、本例では板バネであり、カバー２０の被写体側内面とヨーク２８の間に一端が固定され、他端が移動筒２２の小フランジ部２２ｂに係合しつつ押圧し、移動筒２２を固体撮像素子側のレンズ台２４方向に向かって付勢している。尚、付勢手段は、ばね部材に限らずゴムなどでも良い。【００２９】
撮像レンズ１０とイメージセンサ５１との間において、レンズ台２４に支持されたＩＲカットフィルタＦは、例えば略矩形状や円形状に形成された部材である。【００３０】
さらに、第１レンズＬ１と第２レンズＬ２の間及び第２レンズＬ２と第３レンズＬ３との間に設けられた遮光部材ＳＭより、固体撮像素子に近いレンズＬ３有効径の外側に不要光が入射することを防止し、ゴーストやフレアの発生を抑えることができる。平板部５２ａには、アクチュエータ３０を駆動するアクチュエータドライバ３１と、レンズＬ１〜Ｌ３を至近距離に合焦する位置（図２（ｂ）に示す状態）に移動するためのアクチュエータ３０の電圧又は電流情報を記憶するメモリであるＥＥＰＲＯＭ３２と、これらと通信可能に接続された信号処理回路（ＤＳＰ）３３とが配置されている。【００３１】
以下、図２（ａ）に示す、撮像レンズが無限遠或いは過焦点距離に合焦する位置にある状態から、図２（ｂ）に示す、撮像レンズを至近距離に合焦する位置へ移動させるための、メモリに記憶させる電圧又は電流値の決め方の例について説明する。なお、図２（ａ）に示す状態は、撮像レンズ１０が過焦点距離に合焦する位置にあるものとする。また、コイル２６への電力供給は電流値を制御する例で説明する。【００３２】
図２（ａ）に示す状態は、アクチュエータ３０のコイル２６へ電力が供給されていない状態である。この状態では、バネ部材２５の付勢力により、第３レンズＬ３のフランジ部Ｌ３ｆの下端（撮像素子側端）がレンズ台２４の上面に当接し、撮像レンズ１０は過焦点距離に合焦する位置にある。即ち、本例では過焦点距離に合焦する位置が、可動レンズ（撮像レンズ）の第１の位置であり、レンズ台２４が第１の係止部材に相当する。撮像レンズを至近距離（例えば１５ｃｍ）に合焦する位置（図２（ｂ）に示す位置）へ移動させるためのコイル２６への通電量、即ち、メモリに記憶させる電流値は以下のようにして決められる。【００３３】
製造工程中において、該撮像装置の被写体側１５ｃｍの位置に、例えば解像力チャートを配置し、コイル２６へ供給する電流量を小刻みに増加させると共に、それぞれの電流値を供給した場合の解像力チャートの画像を記録する。撮像レンズ１０は、供給される電流値による電磁力とバネ部材２５の付勢力とが平衡状態となる位置へ移動するため、記録された複数のチャート画像の鮮鋭度はそれぞれ異なる画像となる。得られた複数のチャート画像から、最も鮮鋭度の高い画像を選択し、該画像が得られた時の電流値をメモリであるＥＥＰＲＯＭ３２に記憶させる。【００３４】
以上により、至近距離、本例では１５ｃｍの被写体距離の撮影時にコイル２６に通電する電流値が決められ、至近距離撮影のモードに設定された際には、ＥＥＰＲＯＭ３２に記憶された電流値に基づいてコイル２６に通電することにより、撮像レンズ１０を１５ｃｍの被写体距離に合焦する位置に移動させることができるようになる。【００３５】
コイル２６に供給する電流値を更に大きくすると、撮像レンズ１０及び移動筒２２は、更に移動して、コイル２６が形成されている移動筒２２のフランジ部２２ｆと磁石２７が設けられているヨーク２８の端部が当接して停止させられる。即ち、本例ではこの状態が、可動レンズ（撮像レンズ）の第２の位置であり、磁石２７が設けられているヨーク２８の端部が第２の係止部材に相当する。【００３６】
撮像レンズ１０が至近距離に合焦する位置では、図２（ｂ）に示すように、バネ部材２５の付勢力と発生する電磁力とが平衡状態となる位置、即ち、上記第１の位置と上記第２の位置の間にある第３の位置で停止させられるということである。【００３７】
なお、本例においては、第１の係止部材と第２の係止部材が別部品である場合を説明したが、これに限るものでなく、１部品で構成されたものであってもよい。また、第１の位置を過焦点距離に合焦するレンズ位置の場合で説明したが、無限遠に合焦するレンズ位置であってもよい。【００３８】
イメージセンサ５１は、基板５２に対して接着された筐体２１とレンズ台２４とにより封止され外部から隔離された状態にあるので、アクチュエータ３０が移動筒２２を駆動する際に発生する塵埃などが、イメージセンサ５１に付着することが抑制される。又、アクチュエータドライバ３１は、筐体２１とレンズ台２４とにより撮像レンズ１０に対して隔離された空間に配置されているので、その発熱が生じてもレンズＬ３の温度上昇を抑えることができ、その光学特性を維持できる。これは、特に樹脂製レンズである場合に効果が大きい。【００３９】
上述した撮像装置５０の使用態様について説明する。図３は、撮像装置５０を携帯端末としての携帯電話機１００に装備した状態を示す図である。また、図４は携帯電話機１００の制御ブロック図である。【００４０】
撮像装置５０は、例えば、撮像レンズにおけるカバー２０が携帯電話機１００の背面（液晶表示部側を正面とする）に設けられ、液晶表示部の下方に相当する位置になるよう配設される。【００４１】
撮像装置５０の外部接続用端子５４は、携帯電話機１００の制御部１０１と接続され、輝度信号や色差信号等の画像信号を制御部１０１側に出力する。【００４２】
一方、携帯電話機１００は、図４に示すように、各部を統括的に制御すると共に、各処理に応じたプログラムを実行する制御部（ＣＰＵ）１０１と、番号等をキーにより支持入力するための入力部６０と、所定のデータの他に撮像した画像や映像等を表示する表示部７０と、外部サーバとの間の各種清報通信を実現するための無線通信部８０と、携帯電話機１００のシステムプログラムや各種処理プログラム及び端末ＩＤ等の必要な諸データを記憶している記憶部（ＲＯＭ）９１と、制御部１０１によって実行される各種処理プログラムやデータ、若しくは処理データ、或いは撮像装置５０の信号処理回路３３から送信される撮像データ等を一時的に格納する作業領域として用いられる及び一時記憶部（ＲＡＭ）９２とを備えている。【００４３】
入力部６０のスイッチの操作により通常撮影モードが設定された場合、制御部１０１より通常撮影モードの信号を受信した信号処理回路３３は、アクチュエータドライバ３１に制御信号を出力し、アクチュエータドライバ３１はアクチュエータ３０を駆動する（第１の位置と第３の位置との間のストローク範囲内で自動合焦制御（ＡＦ制御）を実行する）。図２に示すアクチュエータ３０においては、コイル２６へ供給する電流量を小刻みに増加させることで、撮像レンズ１０は、第１の位置（例えば、過焦点距離に合焦する位置）から、第３の位置（至近距離である例えば１５ｃｍ）までの間を小刻みに移動させられ、小刻みに移動した各位置で得られた画像のうち鮮鋭度の最も高い画像の得られる位置で停止させられる。即ち、鮮鋭度の最も高い画像が得られた位置での電流値がコイル２６に供給され、バネ部材２５と平衡状態となって停止させられるということである。なお、ＡＦ制御を、第１の位置から第３の位置の間で行う例で説明したが、第３の位置を越えて移動させるよう構成してもよい。但し、撮像した画像をディスプレイに表示するプレビュー時にはＡＦ制御を行わなくても良い。その場合には、図２（ａ）に示すように、バネ部材２５に付勢された移動筒２２は、レンズ台２４に当接し、即ち撮像レンズ１０が第１の位置に移動することで無限遠に合焦する位置又は過焦点距離に合焦する位置となっているため、プレビュー画像を見ながら被写体を探すファインディング操作に不具合は生じない。又、アクチュエータ３０に通電しない状態では、撮像レンズ１０は常に第１の位置にあるため、電源オン後、迅速に通常撮影の準備が可能となり、更に電力消費を抑えることができる。【００４４】
一方、入力部６０のスイッチの操作により、至近距離に合焦させて撮影するモードである、マクロ撮影モードが設定された場合、制御部１０１よりマクロ撮影モードの信号を受信した信号処理回路３３は、ＥＥＰＲＯＭ３２よりアクチュエータ３０の電圧又は電流値を読み出し、かかる値に基づいてアクチュエータドライバ３１に制御信号を出力するので、アクチュエータドライバ３１はアクチュエータ３０を駆動する。これにより、図２（ｂ）に示すように、バネ部材２５の付勢力に抗して、移動筒２２が被写体側へと移動し、即ち撮像レンズ１０が第１の位置と第２の位置との間の第３の位置に移動することで至近距離に合焦する位置となる。【００４５】
携帯電話機１００を把持する撮影者が、被写体に対して撮像装置５０の撮像レンズ１０の光軸を向けると、イメージセンサ５１に画像信号が取り込まれることとなる。【００４６】
所望のシャッタチャンスで、図４に示すボタンＢＴを撮影者が押すことでレリーズが行われ、画像信号が信号処理回路３３に取り込まれることとなる。信号処理回路３３から入力された画像信号は、上記携帯電話機１００の制御系に送信され、記憶部９２に記憶されたり、或いは表示部７０で表示され、さらには、無線通信部８０を介して映像情報として外部に送信されることとなる。【００４７】
本実施の形態によれば、撮像レンズ１０を保持した移動筒２２は、その可動ストロークの一端である第１の位置でレンズ台２４によって係止されるので、イメージセンサ５１との光軸上の距離を適切な値に設定でき、それによりピントのあった適切な撮影を行うことができる。一方、アクチュエータ３０は、ＥＥＰＲＯＭ３２に記憶された情報に基づいて、アクチュエータドライバ３１により駆動され、撮像レンズ１０を、その可動ストロークの他端である第２の位置との間の第３の位置で停止させるので、組み付け時において第３の位置の機構調整は不要であり、撮像装置５０の組立性が向上する。【００４８】
以上、本発明を実施の形態を参照して説明してきたが、本発明は上記実施の形態に限定して解釈されるべきではなく、適宜変更・改良が可能であることはもちろんである。例えば、可動レンズはレンズＬ１〜Ｌ３のいずれか１枚以上であれば良く、更にレンズ総数は３枚に限られない。
【図２】
2008053676.tif 000003
【図１】
2008053676.tif 000004
【図３】
2008053676.tif 000005
【図４】
2008053676.tif 000006
【国際調査報告】
2008053676.tif 000007
2008053676.tif 000008
2008053676.tif 000009
2008053676.tif 000010